(57)【要約】【課題】タイムロスによる通信エラーやトラフィックを低減して高速通信を可能にし、光モジュールの低消費電力化が可能な光モジュールの電源制御装置、および光通信システムを提供する。【解決手段】光通信システム１００は、ホスト装置１、このホスト装置１に接続された電源制御装置３と、電源制御装置３及び光ファイバ４Ａ，４Ｂに接続された光モジュール２とを備える。電源制御装置３は、光モジュール２に設けた電極２５Ａ〜２５Ｄと光コネクタ５Ａ，５Ｂに設けた導電部材２７Ａ，２７Ｂとの接触により、光モジュール２への光ファイバ４Ａ，４Ｂの接続を検知し、更に識別設定ピン２６Ａ，２６Ｂと光モジュール２の接続部材２８との接触により、光モジュール２の接続を検知し、これらの検知結果及びホスト１からの通信要求に基づいて、光モジュール２の駆動回路２３及び受信回路２４に対する電源供給の制御を行う。【選択図】図３
2007306213.tif 000002
【特許請求の範囲】
【請求項１】
ホスト装置からの通信要求に応じて相手の光通信システムとの間で光ファイバを介して光信号を送受信する光通信システムにおいて、
前記光信号を送受信する光モジュールへの前記光ファイバの接続を検知する検知手段と、
前記ホスト装置から通信要求を受けたとき、前記検知手段による前記接続の検知に基づいて前記光モジュールに電源供給を行う制御手段とを備えたことを特徴とする光モジュールの電源制御装置。
【請求項２】
前記検知手段は、前記光モジュールが着脱可能な接続部と、前記光モジュールへの前記光ファイバの接続を検知する第１の検知部と、前記接続部への前記光モジュールの接続を検知する第２の検知部とを備え、
前記制御手段は、前記通信要求を受けたとき、前記第１および第２の検知部による前記接続の検知に基づいて前記光モジュールに電源供給を行うことを特徴とする請求項１に記載の光モジュールの電源制御装置。
【請求項３】
前記第１の検知部は、前記光ファイバの端部に装着された光コネクタに設けられた導電部材が、前記光モジュールに設けられた一対の導電部に接触して閉回路が構成されたことにより、前記接続の検知信号を生成することを特徴とする請求項２に記載の光モジュールの電源制御装置。
【請求項４】
前記第２の検知部は、前記光モジュールに設けられた導電部材が前記接続部に設けられた一対の導電部に接触して閉回路が構成されたことにより、前記接続の検知信号を生成することを特徴とする請求項２に記載の光モジュールの電源制御装置。
【請求項５】
前記光モジュールは、光信号を発光する発光素子と、前記発光素子を駆動する駆動回路と、光信号を受光する受光素子と、前記受光素子からの信号を処理する受信回路とを備えたことを特徴とする請求項１に記載の光モジュールの電源制御装置。
【請求項６】
前記制御手段は、前記駆動回路および前記受信回路に個別に接続された２つのスイッチング素子と、前記通信要求を受けたとき、前記第１および第２の検知部による前記接続の検知に基づいて前記２つのスイッチング素子を制御して前記駆動回路および前記受信回路に電源供給を行う通信制御部とを備えたことを特徴とする請求項５に記載の光モジュールの電源制御装置。
【請求項７】
前記制御手段は、前記駆動回路および前記受信回路に共通に接続された単一のスイッチング素子と、前記通信要求を受けたとき、前記第１および第２の検知部による前記接続の検知に基づいて前記スイッチング素子を制御して前記駆動回路および前記受信回路に電源供給を行う通信制御部とを備えたことを特徴とする請求項５に記載の光モジュールの電源制御装置。
【請求項８】
前記制御手段は、前記スイッチング素子と前記光モジュールとの間にローパスフィルタ機能を有する保護回路を備えたことを特徴とする請求項６又は７に記載の光モジュールの電源制御装置。
【請求項９】
ホスト装置からの通信要求に応じて相手の光通信システムとの間で光ファイバを介して光信号を送受信する光通信システムにおいて、
前記ホスト装置に接続された複数の電源制御装置と、
前記複数の電源制御装置に接続された複数の光モジュールとを備え、
前記ホスト装置は、前記複数の電源制御装置に個別に通信要求を行い、
前記電源制御装置は、前記光モジュールへの前記光ファイバの接続を検知する検知手段と、前記ホスト装置から前記通信要求を受けたとき、前記検知手段による前記接続の検知に基づいて前記光モジュールに電源供給を行う制御手段とを備えたことを特徴とする光通信システム。
【請求項１０】
前記複数の光モジュールは、前記光モジュールを識別可能な位置に導電部材を有し、
前記検知手段は、前記光モジュールが着脱可能であり、前記導電部材に電気的に接続する接続部と、前記モジュールが着脱可能であり、前記導電部材に電気的に接続しないダミー接続部と、前記光モジュールへの前記光ファイバの接続を検知する第１の検知部と、前記光モジュールの前記導電部材が前記接続部に設けられた一対の導電部に接触して閉回路が構成されることにより、前記接続部への前記光モジュールの接続を検知する第２の検知部とを備え、
前記制御手段は、前記通信要求を受けたとき、前記第１および第２の検知部による前記接続の検知に基づいて条件に前記光モジュールに電源供給を行うことを特徴とする請求項９に記載の光通信システム。
【発明の詳細な説明】
【技術分野】
【０００１】
本発明は、光通信システムの信号伝送に使用される光モジュールへの電源供給を制御する光モジュールの電源制御装置、および光通信システムに関する。
【背景技術】
【０００２】
光通信システムでは、低消費電力化等の観点から、例えば、受信時に受信信号回路に電源を供給する電源供給方法が開示されている（例えば、特許文献１参照。）。
【０００３】
この電源供給方法は、同一伝送路に複数の光伝送装置が接続された構成において、伝送路からの光信号を選択回路で検知し、それが自局宛であるときに受信信号回路に電源を印加し、他局宛てであるときには受信信号回路に電源供給を行わないようにしたものである。この電源供給方法によれば、他局が受信すべき信号に対しては受信信号回路で電力を消費せず、自局宛の信号受信時にのみ電力を消費するので、電力消費を大幅に低減することができる。
【特許文献１】特開昭６３−２１９２４１号公報（第１図）
【発明の開示】
【発明が解決しようとする課題】
【０００４】
しかし、従来の電源供給方法によると、自局信号を検知してから電源供給を受けると、受信信号回路が立ち上がるまでの時間、データの授受ができないため、通信エラーやトラフィックが大きくなり、結果的に、高速転送のメリットがなくなるという問題がある。
【０００５】
従って、本発明の目的は、タイムロスによる通信エラーやトラフィックを低減して高速通信を可能にし、低消費電力化が可能な光モジュールの電源制御装置、および光通信システムを提供することにある。
【課題を解決するための手段】
【０００６】
本発明の一態様は、上記目的を達成するため、以下の光モジュールの電源制御装置、および光通信システムを提供する。
【０００７】
［１］ホスト装置からの通信要求に応じて相手の光通信システムとの間で光ファイバを介して光信号を送受信する光通信システムにおいて、前記光信号を送受信する光モジュールへの前記光ファイバの接続を検知する検知手段と、前記ホスト装置から通信要求を受けたとき、前記検知手段による前記接続の検知に基づいて前記光モジュールに電源供給を行う制御手段とを備えたことを特徴とする光モジュールの電源制御装置。
【０００８】
上記構成の光モジュールの電源制御装置によれば、通信要求が発生すると、光モジュールへの光ファイバの接続を検知していることを条件に光モジュールに電源供給を行うので、光信号の送受信に対してタイムラグを生ぜず、かつ、光モジュールへの電源供給は、送信及び受信時であるので無駄な電力消費が低減される。
【０００９】
［２］前記検知手段は、前記光モジュールが着脱可能な接続部と、前記光モジュールへの前記光ファイバの接続を検知する第１の検知部と、前記接続部への前記光モジュールの接続を検知する第２の検知部とを備え、前記制御手段は、前記通信要求を受けたとき、前記第１および第２の検知部による前記接続に基づいて前記光モジュールに電源供給を行うことを特徴とする前記［１］に記載の光モジュールの電源制御装置。この構成によれば、通信要求が発生すると、光モジュールへの光ファイバの接続と接続部への光モジュールの接続を検知していることを条件に光モジュールに電源供給を行う。
【００１０】
［３］前記第１の検知部は、前記光ファイバの端部に装着された光コネクタに設けられた導電部材が、前記光モジュールに設けられた一対の導電部に接触して閉回路が構成されたことにより、前記接続の検知信号を生成することを特徴とする前記［２］に記載の光モジュールの電源制御装置。この構成によれば、光ファイバの接続を電気的に検知することができる。上記導電部材は、板状、針状、バネ状等の形状が含まれる。
【００１１】
［４］前記第２の検知部は、前記光モジュールに設けられた導電部材が前記接続部に設けられた一対の導電部に接触して閉回路が構成されたことにより、前記接続の検知信号を生成することを特徴とする前記［２］に記載の光モジュールの電源制御装置。この構成によれば、光モジュールの接続を電気的に検知することができる。上記接続部の上記一対の導電部は、例えば、基板に設けたピンまたは穴でもよい。
【００１２】
［５］前記光モジュールは、光信号を発光する発光素子と、前記発光素子を駆動する駆動回路と、光信号を受光する受光素子と、前記受光素子からの信号を処理する受信回路とを備えたことを特徴とする前記［１］に記載の光モジュールの電源制御装置。この構成によれば、光信号の送信と受信を行うことができる。
【００１３】
［６］前記制御手段は、前記駆動回路および前記受信回路に個別に接続された２つのスイッチング素子と、前記通信要求を受けたとき、前記第１および第２の検知部による前記接続の検知に基づいて前記２つのスイッチング素子を制御して前記駆動回路および前記受信回路に電源供給を行う通信制御部とを備えたことを特徴とする前記［５］に記載の光モジュールの電源制御装置。この構成によれば、必要に応じて駆動回路および受信回路の一方のみに電源を供給することができ、より一層低消費電力化が可能となる。上記スイッチング素子には、バイポーラトランジスタ、ＭＯＳ（Metal-Oxide-Semiconductor transistor）トランジスタ、ＦＥＴ（電界効果トランジスタ）等が含まれる。
【００１４】
［７］前記制御手段は、前記駆動回路および前記受信回路に共通に接続された単一のスイッチング素子と、前記通信要求を受けたとき、前記第１および第２の検知部による前記接続の検知に基づいて前記スイッチング素子を制御して前記駆動回路および前記受信回路に電源供給を行う通信制御部とを備えたことを特徴とする前記［５］に記載の光モジュールの電源制御装置。この構成によれば、１つのスイッチング素子で駆動回路および受信回路の両方に電源を供給することができ、構成を簡素化することができる。
【００１５】
［８］前記制御手段は、前記スイッチング素子と前記光モジュールとの間にローパスフィルタ機能を有する保護回路を備えたことを特徴とする前記［６］又は［７］に記載の光モジュールの電源制御装置。この構成により、駆動回路および受信回路に突入電流やサージ電流が供給されないようにして保護することができる。
【００１６】
［９］ホスト装置からの通信要求に応じて相手の光通信システムとの間で光ファイバを介して光信号を送受信する光通信システムにおいて、前記ホスト装置に接続された複数の電源制御装置と、前記複数の電源制御装置に接続された複数の光モジュールとを備え、前記ホスト装置は、前記複数の電源制御装置に個別に通信要求を行い、前記電源制御装置は、前記光モジュールへの前記光ファイバの接続を検知する検知手段と、前記ホスト装置から前記通信要求を受けたとき、前記検知手段による前記接続の検知に基づいて前記光モジュールに電源供給を行う制御手段とを備えたことを特徴とする光通信システム。
【００１７】
上記構成の光通信システムによれば、通信要求が発生すると、光モジュールへの光ファイバの接続を検知していることを条件に光モジュールに電源供給を行うので、光信号の送受信に対してタイムラグを生ぜず、かつ、光モジュールへの電源供給は、送信及び受信時であるので無駄な電力消費が低減される。上記光ファイバには、ガラスまたはプラスチックからなる光ファイバ、シングルモードやマルチモードで動作する光ファイバ等が含まれる。
【００１８】
［１０］前記複数の光モジュールは、前記光モジュールを識別可能な位置に導電部材を有し、前記検知手段は、前記光モジュールが着脱可能であり、前記導電部材に電気的に接続する接続部と、前記モジュールが着脱可能であり、前記導電部材に電気的に接続しないダミー接続部と、前記光モジュールへの前記光ファイバの接続を検知する第１の検知部と、前記光モジュールの前記導電部材が前記接続部に設けられた一対の導電部に接触して閉回路が構成されることにより、前記接続部への前記光モジュールの接続を検知する第２の検知部とを備え、前記制御手段は、前記通信要求を受けたとき、前記第１および第２の検知部による前記接続の検知に基づいて前記光モジュールに電源供給を行うことを特徴とする前記［９］に記載の光通信システム。この構成によれば、通信要求が発生していない光モジュールへは電源供給されないため、光モジュール部分で消費する電力を抑えることができる。また、使用していない光モジュールには、電源が供給されないため、不慮の事故（埃やゴミによる短絡等）も未然に防ぐことができる。
【発明の効果】
【００１９】
本発明によれば、タイムロスによる通信エラーやトラフィックを低減し、光モジュールの低消費電力化が可能な光モジュールの電源制御装置を得ることができる。
【発明を実施するための最良の形態】
【００２０】
［第１の実施の形態］
（光通信システムの構成）
図１は、本発明の第１の実施の形態に係る光通信システムを示す。この光通信システム１００は、サーバー、コンピュータ等からなるホスト装置１と、ホスト装置１に接続されると共に光ファイバ４Ａ，４Ｂが接続されて、データの光−電気変換及び電気−光変換を行う複数の光モジュール２−１，２−２，・・・２−Ｎと、ホスト装置１と光モジュール２−１〜２−Ｎ間のデータの伝送制御及び光モジュール２−１〜２−Ｎの電源オン／オフを所定の条件のもとで制御する電源制御装置３−１〜３−Ｎを備えて構成されている。
【００２１】
図２は、電源制御装置と光モジュールとの接続部の詳細を示す。ここでは、光モジュール２−１を電源制御装置３−１に接続する場合について説明する。
【００２２】
電源制御装置３−１は、光モジュール２−１の接続部に接続されるソケット４１を備え、このソケット４１は、電源制御装置３−１内に配設された基板４０に実装されている。光モジュール２−１は、受信用及び送信用の光素子を内蔵し、光ファイバ４Ａ，４Ｂを介してクライアント等の外部機器との光通信を実行する。光ファイバ４Ａ，４Ｂには、光コネクタ５Ａ，５Ｂが取り付けられており、この光コネクタ５Ａ，５Ｂが光モジュール２−１に装着される。
【００２３】
（光モジュール及び電源制御装置の構成）
図３は、光モジュール及び電源制御装置の詳細構成を示す。光モジュール２−１〜２−Ｎは同一構成であり、また、電源制御装置３−１〜３−Ｎも同一構成であるので、以下においては、光モジュール２−１と電源制御装置３−１の組み合わせについて説明する。
【００２４】
ホスト装置１は、データ伝送線路６ａ，６ｂ、及び信号線６ｃ，６ｄを含む通信路６によって電源制御装置３−１に接続されている。
【００２５】
光モジュール２−１は、フォトダイオード（ＰＤ）２１と、レーザダイオード（ＬＤ）２２と、ＬＤ２２を駆動する駆動回路２３と、ＰＤ２１による受信信号を処理する受信回路２４と、光コネクタ５Ａ，５Ｂに設けられた導電部材２７Ａ，２７Ｂが接触することにより、保護回路３３Ｂ，３３Ｃに対して閉回路が構成され、コネクタ５Ａ，５Ｂの光モジュール２−１への接続の有無を検知する一対の導電部としての電極２５Ａ，２５Ｂ、電極２５Ｃ，２５Ｄと、電源制御装置３−１に設けられた一対の導電部としての識別設定ピン２６Ａ，２６Ｂに接触可能な金属等の導電部材としての接触部材２８とを備える。
【００２６】
ここで、電極２５Ａ〜２５Ｄ及び導電部材２７Ａ，２７Ｂは、第２の検知手段を構成している。また、識別設定ピン２６Ａ，２６Ｂと接続部材２８は、第１の検知手段を構成している。
【００２７】
図４は、光モジュールとソケットの接続部の概略構成を示す。なお、光モジュール２−１とソケット４１との接続においては、データ伝送線７ａ，７ｂ、保護回路３２Ａ，３２Ｂ，３３Ａ〜３３Ｃ等との接続のほか、光コネクタ５Ａ，５Ｂと光モジュール２−１の受発光部との結合も同時に行われるが、ここでは、識別設定ピン２６Ａ，２６Ｂと接続部材２８の接続についてのみ、図示及び説明をする。
【００２８】
ソケット４１は、樹脂成型等により作られており、光モジュール２−１の接続部を挿入可能な凹部４１ａが設けられている。凹部４１ａの底面には、識別設定ピン２６Ａ，２６Ｂが接続部材２８の幅に収まる距離内に植設されている。また、接続部材２８は、光モジュール２−１のケーシング２９に遊嵌され、かつ、スプリング４２によって識別設定ピン２６Ａ，２６Ｂ方向へ付勢されている。光モジュール２−１が、ソケット４１の凹部４１ａに差し込まれると、接続部材２８の表面に接触した識別設定ピン２６Ａ，２６Ｂが電気的に接続し、保護回路３３Ａに対して閉回路が構成される。
【００２９】
次に、図３に戻り、電源制御装置３−１の構成について説明する。電源制御装置３−１は、上記識別設定ピン２６Ａ，２６Ｂと、通信の制御を行う通信制御部３１と、受信回路２４及び駆動回路２３を電源からの異常電圧に対して保護する保護回路３２Ａ，３２Ｂと、電極２５Ａ，２５Ｃ及び識別設定ピン２６Ａと通信制御部３１との間に接続された保護回路３３Ａ，３３Ｂ，３３Ｃと、駆動回路２３及び受信回路２４への電源印加を制御するスイッチング素子としてのトランジスタ３４Ａ，３４Ｂとを備えて構成されている。
【００３０】
なお、通信制御部３１、受信回路２４及び駆動回路２３は、それぞれがＩＣ化され、保護回路３２Ａ，３２Ｂ，３３Ａ〜３３Ｃのそれぞれはモジュール化されたものが、小型化するうえで好適である。
【００３１】
保護回路３２Ａ，３２Ｂは同一構成であり、一端が電源側に接続された抵抗３２０ａ、抵抗３２０ａに接続されたインダクタンス３２０ｂ、抵抗３２０ａとインダクタンス３２０ｂの接続点と接地間に接続されたコンデンサ３２０ｃからなるローパスフィルタの構成であり、電源電圧に重畳する過大な高周波電圧から駆動回路２３及び受信回路２４を保護している。
【００３２】
保護回路３３Ａ〜３３Ｃは同一構成であり、一端が電源Ｖｓに接続された抵抗３３０ａ、抵抗３３０ａに直列接続された抵抗３３０ｂ、抵抗３３０ａ，３３０ｂの接続点と接地間に接続されたコンデンサ３３０ｃからなるハイカットフィルタの構成になっている。
【００３３】
トランジスタ３４Ａ，３４Ｂは同一仕様であり、例えば、スイッチング用のトランジスタを用いることができる。トランジスタ３４Ａ，３４Ｂは、コレクタが正電位の電源Ｖｓに接続され、エミッタが保護回路３２Ａ，３２Ｂの入力側に接続され、ベースが通信制御部３１に接続されている。
【００３４】
（光通信システムの動作）
次に、第１の実施の形態に係る光通信システム１００の動作について説明する。
（１）接続動作
光通信システム１００を運用する場合、システムの管理者等は、予め、ホスト装置１と電源制御装置３−１〜３−Ｎを通信路６により接続し、電源制御装置３−１〜３−Ｎに光モジュール２−１〜２−Ｎを装着する。更に、光ファイバ４Ａ，４Ｂを光モジュール２−１〜２−Ｎに接続する。
【００３５】
電源制御装置３−１〜３−Ｎの各ソケット４１に光モジュール２−１〜２−Ｎを接続することにより、電源制御装置３−１〜３−Ｎは、光モジュール２−１〜２−Ｎ及び光ファイバ４Ａ，４Ｂが接続されているか否かを認識する。
【００３６】
例えば、電源制御装置３−１においては、識別設定ピン２６Ａ，２６Ｂ間が接続部材２８で導通されることで、コンデンサ３３０ｃの端子電圧が電源ＶＳに等しい“Ｈ”レベルの電圧から、これより低い“Ｌ”レベル電圧に下がることにより、モジュール検知信号Ｓｍが生成される。モジュール検知信号Ｓｍを受けた電源制御装置３−１は、光モジュール２−１が接続されたことを認識する。
【００３７】
また、電極２５Ａ，２５Ｂ間が導電部材２７Ａで導通され、更に、電極２５Ｃ，２５Ｄ間が導電部材２７Ｂで導通されることにより、保護回路３３Ｂ，３３Ｃの電源制御装置３−１に接続されている端子の電圧が“Ｈ”レベルから“Ｌ”レベルに変化し、コネクタ接続検知信号ＳＰ１，ＳＰ２を生成する。通信制御部３１は、コネクタ接続検知信号ＳＰ１，ＳＰ２に基づいて、光コネクタ５Ａ，５Ｂが光モジュール２−１に装着されたことを認識する。
【００３８】
（２）送信動作
次に、ホスト装置１が、光モジュール２−１を介して送信を行う場合の動作について説明する。この場合、ホスト装置１は、送信に際し、信号線６ｃを通して通信制御信号ＳＣを電源制御装置３−１へ送信する。通信制御信号ＳＣを受けた通信制御部３１は、コネクタ接続検知信号ＳＰ１，ＳＰ２及びモジュール検知信号Ｓｍの検知状態が継続されていることを条件に、駆動電圧をトランジスタ３４Ａ，３４Ｂに印加し、これらトランジスタ３４Ａ，３４Ｂをオンにする。
【００３９】
トランジスタ３４Ａ，３４Ｂは、電源ＶＳと保護回路３２Ａ，３２Ｂを接続し、保護回路３２Ａ，３２Ｂを介して、駆動回路２３及び受信回路２４に電源供給を行い、駆動回路２３及び受信回路２４を動作させる。このとき、通信制御信号ＳＣが付与されない他の光モジュール２−２〜２−Ｎの駆動回路２３及び受信回路２４には、電圧が印加れていないため、接続部における短絡事故等は生じない。
【００４０】
次に、通信制御部３１は、状態通知信号ＳＳをホスト装置１へ送信し、ホスト装置１からの送信要求に対して準備が完了したことを通知する。
【００４１】
ホスト装置１は、状態通知信号Ｓｓを受け取ると、送信データＤＳをデータ伝送線６ａへ送出する。通信制御部３１は、送信データＤＳを所定のタイミングでデータ伝送線７ａへ送出する。データ伝送線７ａからの送信データＤＳは、駆動回路２３に送られ、駆動回路２３は送信データＤＳに基づいてＬＤ２２を駆動する。ＬＤ２２による光信号は、光コネクタ５Ｂを介して光ファイバ４Ｂへ送出され、クライアント等の外部機器へ伝搬される。
【００４２】
なお、画像データを送信する場合、通信制御部３１は、トランジスタ３４Ａのみをオンにして駆動回路２３に電源を供給し、受信回路２４には電源供給を行わない。
【００４３】
通信制御部３１は、送信データＤＳの送信処理が終了すると、トランジスタ３４Ａ，３４Ｂのベースに印加していた駆動電圧の発生を停止し、駆動回路２３及び受信回路２４への電源供給を停止して、駆動回路２３及び受信回路２４の動作を終了させる。
【００４４】
（３）受信動作
次に、ホスト装置１が光モジュール２−１を介して行う受信動作について説明する。ホスト装置１から受信要求を示す通信制御信号Ｓｃが通信制御部３１へ送出されると、通信制御部３１は、トランジスタ３４Ａ，３４Ｂをオンにする。トランジスタ３４Ａ，３４Ｂは、電源ＶＳと保護回路３２Ａ，３２Ｂを接続し、保護回路３２Ａ，３２Ｂを介して、光モジュール２−１の駆動回路２３及び受信回路２４に電源を供給し、駆動回路２３及び受信回路２４を動作させる。
【００４５】
ここで、光ファイバ４Ａを介して光コネクタ５Ａに光信号が入射すると、ＰＤ２１によって光電変換され、その電気信号（受信データ）は受信回路２４に印加される。受信回路２４は受信データＤＲを復調し、その受信データＤＲをデータ伝送線７ｂへ送出する。受信データＤＲを受け取った通信制御部３１は、状態通知信号ＳＳをホスト装置１へ送出する。
【００４６】
ホスト装置１は、受信の準備が整うと、通信制御信号Ｓｃを通信制御部３１へ通知する。この通知を受けた通信制御部３１は、受信データＤＲをデータ伝送線６ｂへ送出する。ホスト装置１は、データ伝送線６ｂからの受信データＤＲを受信する。
【００４７】
通信制御部３１は、ホスト装置１への受信データＤＲの転送が終了すると、トランジスタ３４Ａ，３４Ｂのベースに印加していた駆動電圧の発生を停止し、駆動回路２３及び受信回路２４への電源供給を停止し、駆動回路２３及び受信回路２４の動作を終了させる。
【００４８】
以上は、光モジュール２−１及び電源制御装置３−１を通しての通信であったが、他の光モジュール２−２〜２−Ｎ及び電源制御装置３−２〜３−Ｎを通しての通信も、光モジュール２−１及び電源制御装置３−１の場合と同様にして行われる。
【００４９】
（第１の実施の形態の効果）
第１の実施の形態によれば、下記の効果を奏する。
（イ）複数の光モジュール２−１〜２−Ｎの内、通信要求があった光モジュールにのみ電源供給を行い、通信要求の無い光モジュールには電源供給を行わないため、光モジュール２−１〜２−Ｎで消費する電力を抑制できる。
（ロ）識別設定ピン２６Ａ，２６Ｂに接続部材２８が接続されたことにより光モジュールの接続を認識するため、接続された光モジュールにのみ電源供給が行われるので、他の光モジュールからのレーザ光の漏洩、埃やゴミによる短絡等の事故を未然に防止することができる。
（ハ）光モジュール２−１〜２−Ｎへの光コネクタ５Ａ，５Ｂの接続の有無が、電極２５Ａ〜２５Ｄ及び導電部材２７Ａ，２７Ｂにより検知できるため、光モジュール２−１〜２−Ｎの送受信部からレーザ光の漏洩、埃やゴミによる短絡等の事故を未然に防止することができる。
（ニ）モジュール検知信号Ｓｍ、コネクタ接続検知信号ＳＰ１，ＳＰ２及び通信制御信号Ｓｃの検知が、識別設定ピン２６Ａ，２６Ｂまたは電極２５Ａ〜２５Ｄと、接続部材２８または導電部材２７Ａ，２７Ｂの組み合わせにより簡単に行えるため、低コスト化が図れ、使用時におけるユーザの負担も軽減することができる。
【００５０】
［第２の実施の形態］
図５は、本発明の第２の実施の形態に係る光通信システムの主要部の構成を示す。同図中、（ａ）は、光モジュール２−１が電源制御装置３−１に接続された場合であり、（ｂ）は光モジュール２−２が電源制御装置３−２に接続された場合である。
【００５１】
本実施の形態は、第１の実施の形態において、識別設定ピン２６Ａ，２６Ｂのほかに光モジュール数に応じて複数の識別設定ピンを増設し、光モジュール２−１〜２−Ｎ毎に接続部材２８の設置位置を異ならせ、電源制御装置３−１〜３−Ｎに接続できる光モジュール２−１〜２−Ｎを限定できるようにしたものであり、その他の構成は、第１の実施の形態と同様である。
【００５２】
図５においては、光モジュール２−１，２−２と電源制御装置３−１，３−２の組み合わせを特定できる構成を示している。接続部材２８は、光モジュール２−１と光モジュール２−２とで異なる位置に設けられており、それぞれに対応する電源制御装置３−１，３−２は、接続部材２８に接触可能な位置にある識別設定ピン２６Ａ，２６Ｃの一方が保護回路３３Ａに接続されている。
【００５３】
図５の（ａ）に示すように、光モジュール２−１を電源制御装置３−１に装着すると、接続部材２８が識別設定ピン２６Ａ，２６Ｂに接触し、電源制御装置３−１は光モジュール２−１が装着されたことを認識する。
【００５４】
図５の（ｂ）に示すように、光モジュール２−２を電源制御装置３−２に装着すると、接続部材２８が識別設定ピン２６Ｃ，２６Ｄに接触し、電源制御装置３−２は光モジュール２−２が装着されたことを認識する。
【００５５】
仮に、光モジュール２−２を電源制御装置３−１に装着した場合、図５の（ａ）の識別設定ピン２６Ｃ，２６Ｄに接続部材２８が位置するため、識別設定ピン２６Ａ，２６Ｂは接続されず、モジュール検知信号Ｓｍは生成されない。同様に、光モジュール２−１を電源制御装置３−２に装着した場合、図５の（ｂ）の識別設定ピン２６Ａ，２６Ｂに接続部材２８が位置するため、識別設定ピン２６Ｃ，２６Ｄは接続されず、モジュール検知信号Ｓｍは生成されない。
【００５６】
第２の実施の形態によれば、光モジュールと電源制御装置の組み合わせを特定でき、誤接続を防止することができる。
【００５７】
なお、第２の実施の形態においては、接続部材２８の位置を変更して光モジュールを特定できるようにしたが、光モジュール２−１〜２−Ｎにディップスイッチ等を搭載して指定する構成にしてもよい。
【００５８】
［第３の実施の形態］
図６は、本発明の第３の実施の形態に係る光通信システムを示す。この光通信システム１００は、第１の実施の形態からトランジスタ３４Ｂを除去し、トランジスタ３４Ａによって保護回路３２Ａ，３２Ｂを同時に駆動する構成にし、また、保護回路３３Ｂ，３３Ｃからのコネクタ接続検知信号ＳＰ１，ＳＰ２をＡＮＤ回路３６を通して通信制御部３１へコネクタ接続検知信号ＳＰ０を出力する構成にしたものであり、その他の構成及び動作は図３に示した第１の実施の形態と同様である。
【００５９】
本実施の形態においては、光コネクタ５Ａ，５Ｂが光モジュール２−１に装着されると、電極２５Ａ，２５Ｂと電極２５Ｃ，２５Ｄに導電部材２７Ａ，２７Ｂが接触することにより、保護回路３３Ｂ，３３Ｃからコネクタ接続検知信号ＳＰ１，ＳＰ２が発生する。このコネクタ接続検知信号ＳＰ１，ＳＰ２は、ＡＮＤ回路３６によって論理積がとられ、その結果がコネクタ接続検知信号ＳＰ０として通信制御部３１へ出力される。通信制御部３１は、ＡＮＤ回路３６からのコネクタ接続検知信号ＳＰ０に基づいて、光モジュール２−１が接続されたことを認識する。なお、モジュール検知信号Ｓｍの生成については、第１の実施の形態で説明した通りである。
【００６０】
次に、コネクタ接続検知信号ＳＰ０及びモジュール検知信号Ｓｍの検知が継続されている状態において、送信または受信の通信要求が通信制御部３１に出されると、通信制御部３１はトランジスタ３４Ａのベースに駆動電圧を印加し、トランジスタ３４Ａをオンにする。トランジスタ３４Ａのオンにより、電源ＶＳから保護回路３２Ａ，３２Ｂを通して駆動回路２３及び受信回路２４に電源供給が行われ、送信及び受信が行える状態になる。送信及び受信の動作は、第１の実施の形態で説明した通りである。
【００６１】
次に、送信または受信が終了すると、通信制御部３１によってトランジスタ３４Ａがオフにされ、駆動回路２３及び受信回路２４への電源供給が停止する。
【００６２】
第３の実施の形態によれば、電源制御を１系統にできるため、構成及び通信制御部３１による制御を簡略化することができる。
【００６３】
なお、本発明は、上記各実施の形態に限定されず、その要旨を変更しない範囲内で種々な変形が可能である。例えば、各実施の形態間の構成要素の組合せは任意に行うことができる。
【図面の簡単な説明】
【００６４】
【図１】本発明の第１の実施の形態に係る光通信システムを示すブロック図である。
【図２】図１の電源制御装置と光モジュールとの接続部の詳細を示す構成図である。
【図３】図１の光モジュールと電源制御装置の詳細構成を示す回路図である。
【図４】図３の光モジュールとソケットの接続部の概略構成を示す断面図である。
【図５】本発明の第２の実施の形態に係る光通信システムの主要部の構成を示し、（ａ）は光モジュールが電源制御装置に接続されたときの構成図、（ｂ）は、他の光モジュールと電源制御装置の接続を示す構成図である。
【図６】本発明の第３の実施の形態に係る光通信システムを示す回路図である。
【符号の説明】
【００６５】
１  ホスト装置
２−１〜２−Ｎ  光モジュール
３−１〜３−Ｎ  電源制御装置
４Ａ，４Ｂ  光ファイバ
５Ａ，５Ｂ  光コネクタ
６  通信路
６ａ，６ｂ  データ伝送線路
６ｃ  信号線
６ｄ  状態通知信号線
７ａ，７ｂ  データ伝送線
２１  ＰＤ(フォトダイオード)
２２  ＬＤ（レーザダイオード）
２３  駆動回路
２４  受信回路
２５Ａ〜２５Ｄ  電極
２６Ａ〜２６Ｄ  識別設定ピン
２７Ａ，２７Ｂ  導電部材
２８  接続部材
２９  ケーシング
３１  通信制御部
３２Ａ，３２Ｂ，３３Ａ〜３３Ｃ  保護回路
３４Ａ，３４Ｂ  トランジスタ
３６  ＡＮＤ回路
４０  基板
４１  ソケット
４１ａ  凹部
４２  スプリング
１００  光通信システム
３２０ａ  抵抗
３２０ｂ  インダクタンス
３２０ｃ  コンデンサ
３３０ａ，３３０ｂ  抵抗
３３０ｃ  コンデンサ
ＤＲ  受信データ
ＤＳ  送信データ
ＳＣ  通信制御信号
Ｓｍ  モジュール検知信号
ＳＰ０，ＳＰ１，ＳＰ２  コネクタ接続検知信号
ＳＳ  状態通知信号
【図１】
2007306213.tif 000003
【図２】
2007306213.tif 000004
【図３】
2007306213.tif 000005
【図４】
2007306213.tif 000006
【図５】
2007306213.tif 000007
【図６】
2007306213.tif 000008